(57)【要約】【課題】敷きパットなどのゴムベルトが伸びたときに、新しいゴムベルトの縫い付け作業の面倒な手間を解消し、安全で手軽に使用できるものとして、両端のクリップに保護カバーを付けた寝具用ベルトを提供する。【解決手段】  ベルト〈１〉の両端にクリップ〈２〉〈２〉を設け、クリップ〈２〉〈２〉にクッション性の保護カバー〈３〉〈３〉を設けたことを特徴とする。【選択図】  図１
2006311983.tif 000002
【特許請求の範囲】
【請求項１】
ベルト〈１〉の両端にクリップ〈２〉〈２〉を設け、クリップ〈２〉〈２〉にクッション性の保護カバーを設けたことを特徴とする両端のクリップに保護カバーを付けた寝具用ベルト。
【発明の詳細な説明】
【技術分野】
【０００１】  この発明は、寝具用品の敷きパットや汗取りパットなどを敷き蒲団などに固定するときに用いる両端のクリップに保護カバーをつけた寝具用ベルトに関するものである。
【背景技術】
【０００２】  現在多く使用されている敷きパットや汗取りパットは、敷き蒲団の上に広げてパットの裏に縫いつけてある４隅コーナーゴムベルトや、幅と幅をつなぐ２本ゴムベルトを、敷き蒲団の裏にまわしかけて固定とする構造となっている。手軽で人気があり、夏は涼しく冬は暖かく様々な肌触りのよい素材で広く販売されている。その敷きパットについたゴムベルトは使用や洗濯することにより、伸びてしまったり劣化してしまい固定できなくなり、新しいゴムベルトを縫い付ける付け直しの手間が必要であった。つけかえる時に縫い付けずに手軽に利用できるものとして、簡単で安全な着脱式の寝具用ベルトが求められる。
【発明の開示】
【発明が解決しようとする課題】
【０００３】  これは次のような欠点があった。
敷きパットは清潔を保つため度々洗濯をするが縫い付けられたゴムベルトも一緒に洗うために伸びと劣化の原因となる。また、ベットのマットなどの厚いものに橋渡しするときは、重いマットを持ち上げるのに力が必要だった。厚いものは無理がかかるので短期間でゴムベルトがゆるゆるに伸びてしまう。そのために新しいゴムベルトの縫い付けが必要となり、大変面倒であり不便だった。つけかえ時に利用できるものとして、従来よりあるベルトの両端にクリップが付いたサスペンダーで敷きパットの布を挟む方法が簡単でよい。しかしクリップの金属やプラスチック等に直接肌が強くふれた場合に、先端の係止用押さえ具が上に押し上げられてはずれる心配があり安全面で問題がある。また、金具やプラスチックのかたい感じやひんやりとした冷たい感じの異質感も気になるので解消したい。
本発明は、以上の欠点を解決するためになされたものである。
【課題を解決するための手段】
【０００４】  ベルト〈１〉の両端に付けるクリップ〈２〉〈２〉は挟止用のレバー〈５〉〈５〉がクリップ〈２〉〈２〉の後端に位置したタイプのものを使用する。そしてクリップ〈２〉〈２〉で敷きパット〈４〉を挟んで使用するときに、肌にふれるクリップ〈２〉〈２〉の上挟体〈６〉〈６〉の表面及び側面を、クッション性のある保護カバー〈３〉〈３〉で覆うように接着固定する。またクリップ〈２〉〈２〉の後端への表面及び側面も保護カバー〈３〉〈３〉を覆いかぶせて裏にまわして接合させ一部を固定する。以上の構成よりなる両端のクリップに保護カバーを付けた寝具用ベルトである。
【発明の効果】
【０００５】  本発明を使用することにより、肌触りが優しく、異質感もなくなり、安全に使用することができる。とりかえのために新しいゴムベルトを縫いつける手間が省ける。洗濯によるゴムベルトの伸びや劣化の心配がなくなる。ベットの重いマットを持ち上げる苦労もなく、マットの下に橋渡ししたベルトはそのままにしておいてクリップ部分の操作だけで敷きパットやあせとりパットの付け外しが簡単に楽にできる。また、力のない方にも使用しやすい。夏用の敷きパットにも冬用の敷きパットにも年間通して利用できる。また、調整機能付きのものは色々なサイズに対応できるし、ソファーカバーやベットカバーなどの固定ベルトとして他の用途にも便利に安全に使用できる。
【発明を実施するための最良の形態】
【０００６】以下、本発明を実施するための最良の形態について説明する。
〈イ〉ベルト〈１〉は伸縮性のもの、及び非伸縮性のものを使用する。
長さ調整機能があるもの、及びないものを使用して両端にクリップ〈２〉〈２〉を付ける。
〈ロ〉クリップ〈２〉〈２〉は挟止用のレバー〈５〉〈５〉が後部にあるタイプのものが安全である。また、上挟体〈６〉〈６〉と下挟体〈７〉〈７〉が大きく開口するものが厚い敷きパット等を挟んでとりつける時に便利である。
〈ハ〉保護カバー〈３〉〈３〉はクッション性のある素材を使用したもので、素肌が触れても優しく肌触りの良い異質感のないものとする。布を袋にして中にクッション材として綿やスポンジを入れたものや、布の外側を起毛させてクッション性をもたせたものなどを利用して実施できた。また、ソフトなシリコンゴムの利用などもできる。安価で取り扱いが楽で生産性のよい素材として、スポンジの片面、または両面に布を張って一体加工されたものを利用すると、色々な模様形に切っても切り口のほつれがない。肌触りも優しくソフトで異質感もないので便利に実施できた。
〈ニ〉保護カバー〈３〉〈３〉でクリップ〈２〉〈２〉の上挟体〈６〉〈６〉の表面と側面をすっぽりと完全に覆い接着剤で固定する。
〈ホ〉クリップ〈２〉〈２〉の後端にむけての表面と側面は保護カバー〈３〉〈３〉を巻き付けるようにして覆い、覆いのずれを防止するために裏側を接合させて、一部をしっかりと縫着または接着剤で固定をする。
〈ヘ〉狭止用のレバー〈５〉〈５〉の操作がスムースにできるように保護カバー〈３〉〈３〉の下面に開口部〈９〉〈９〉を設ける。
本発明は、以上の構成よりなっている。
これを使用するときは、クリップ〈２〉〈２〉に保護カバー〈３〉〈３〉のついたベルト〈１〉を必要本数用意する。敷きパット〈４〉の裏面の４隅、または幅と幅をつなげるようにクリップ〈２〉〈２〉で敷きパット〈４〉を挟んでベルト〈１〉を敷布団の裏側に橋渡しして固定とする。ベットに使用するときは、まず先にマットにベルト〈１〉を橋渡しして長さを調整しておく。そして保護カバー〈３〉〈３〉のついたクリップ〈２〉〈２〉で敷きパット〈４〉を挟んで固定とする。とりはずしも簡単となり便利である。
【実施例】
【０００７】  図４に示すように先端に係止用押さえ具〈８〉〈８〉が付いたタイプのクリップ〈２〉〈２〉に保護カバー〈３〉〈３〉をつけた寝具用ベルトを実施する。
〈イ〉ベルト〈１〉にクリップ〈２〉〈２〉をつける。
〈ロ〉伸縮性のある布を用いてクッション材を中にした長方形の保護カバー〈３〉〈３〉をつくる。その時外側と全側面にクッション性を多くする。
〈ハ〉保護カバー〈３〉〈３〉の裏面の中央部の内側の布に穴をあける。
〈ニ〉その穴の中の内層側に先端にむけてクリップ〈２〉〈２〉の係止用押さえ具〈８〉〈８〉を入れる。
〈ホ〉そして保護カバー〈３〉〈３〉の後端を持ってクリップ〈２〉〈２〉の下部のベルト通しの中に挿通する。
〈ヘ〉保護カバー〈３〉〈３〉は布の持つ伸縮性を利用して後端を引っぱって中央部の穴の内層側に後端にむけて下挟体〈７〉〈７〉をすっぽりと入れる。保護カバー〈３〉〈３〉の伸縮性のある布が前後に引っ張りあって抜ける心配はないが一部をベルト通しやベルト〈１〉に縫着してもよい。
以上の構成よりなっている。
これはクリップ〈２〉〈２〉の裏と表の両面を使用できるようにしたもので、使用箇所や使用する人によって使い分けができる。より安全な方法として、クリップ〈２〉〈２〉の裏を表面にして下挟体〈７〉〈７〉が上になるようにして固定する。係止用押さえ具〈８〉〈８〉の先端が敷きパットの下に位置するため、肌に触れて外れる心配がなくなる。安全に便利に使用できる。【０００８】  図５に示すように、カバー〈２〉を色々な形や模様にしたり、肌触りのよい糸や布をもちいてアップリケ〈１０〉〈１０〉などをすると可愛く楽しいものとなり敷きパットに変化をもたらし、気分を変えることができる。
【図面の簡単な説明】
【０００９】
【図１】本発明の全体を示した平面図である。
【図２】本発明のクリップに保護カバーを付けた部分斜視図である。
【図３】本発明の使用時の部分底面図である。
【図４】本発明実施例の部分斜視図である。
【図５】本発明の実施例の平面図である。
【符号の説明】
【００１０】１  ベルト
２  クリップ
３  保護カバー
４  敷きパット
５  挟止用のレバー
６  上挟体
７  下挟体
８  係止用押さえ具
９  開口部
１０  アップリケ
【図１】
2006311983.tif 000003
【図２】
2006311983.tif 000004
【図３】
2006311983.tif 000005
【図４】
2006311983.tif 000006
【図５】
2006311983.tif 000007